(57)【要約】  【課題】  部品点数の増加やコストの上昇を招くことなく、温度上昇によるレーザダイオードの劣化や破壊を防止することのできる光ディスク記録再生装置を提供する。  【解決手段】  レーザダイオードＬＤ１、ＬＤ２を駆動するレーザ駆動部２１と、レーザダイオードＬＤ１、ＬＤ２とレーザ駆動部２１との間に接続されたスイッチＳＷ１、ＳＷ２と、レーザダイオードＬＤ１、ＬＤ２に定電流を流しその順方向電圧から温度を検出する温度検出部２２と、レーザダイオードＬＤ１、ＬＤ２と温度検出部２２との間に接続されたスイッチＳＷ３、ＳＷ４と、レーザダイオードＬＤ１、ＬＤ２の一方を発光させ他方の温度を検出するようにスイッチＳＷ１〜ＳＷ４を切り換え、温度検出部２２により検出された温度が所定の温度を超えたときにはレーザ駆動部２１の動作を停止させる制御部２を備える。【選択図】      図３
2005346807.tif 000002
【特許請求の範囲】
【請求項１】
光ディスクに対して情報を記録したり、光ディスクに記録されている情報を再生したり
する光ディスク記録再生装置において、
出射されるレーザ光の波長が異なり互いに近接した位置に配置された第１、第２のレー
ザダイオードと、第１、第２のレーザダイオードを駆動する駆動電流を供給するレーザ駆
動部と、第１、第２のレーザダイオードと前記レーザ駆動部との間に接続され前記レーザ
駆動部からの駆動電流が第１、第２のレーザダイオードのいずれか一方に与えられるよう
に電流経路を切り換える第１の切換部と、第１、第２のレーザダイオードに定電流を流し
、そのときの第１、第２のレーザダイオードの順方向電圧から第１、第２レーザダイオー
ドの温度を検出する温度検出部と、第１、第２のレーザダイオードと前記温度検出部との
間に接続され前記温度検出部からの定電流が第１、第２のレーザダイオードのいずれか一
方に与えられるように電流経路を切り換える第２の切換部と、第１、第２のレーザダイオ
ードから出射されたレーザ光の光ディスクによる反射光を受光して受光信号に変換する受
光部と、フォーカスエラー信号及びトラッキングエラー信号に基づいて光学系のフォーカ
スサーボ及びトラッキングサーボを行うアクチュエータとを有する光ピックアップと、
前記フォーカスエラー信号及びトラッキングエラー信号を前記受光部からの受光信号と
記憶しているオフセット値とから生成して前記アクチュエータに与えるとともに、第１、
第２のレーザダイオードのうち、装着された光ディスクの種類に対応する一方のレーザダ
イオードを発光させるように第１の切換部を切り換え、他方のレーザダイオードの温度を
検出するように第２の切換部を切り換え、前記温度検出部により検出された温度と前記オ
フセット値を記憶したときの温度との差分が所定の差分を超えたときにはオフセット値を
記憶し直し、前記温度検出部により検出された温度が所定の温度を超えたときには前記レ
ーザ駆動部の動作を停止させる制御部と、
を具備したことを特徴とする光ディスク記録再生装置。
【請求項２】
光ディスクに対して情報を記録したり、光ディスクに記録されている情報を再生したり
する光ディスク記録再生装置において、
出射されるレーザ光の波長が異なり互いに近接した位置に配置された複数のレーザダイ
オードを有し、該複数のレーザダイオードのいずれかを発光させ、発光させるレーザダイ
オード以外のいずれか他のレーザダイオードの温度を検出する光ピックアップと、
検出された前記他のレーザダイオードの温度に基づいて前記光ピックアップの動作制御
を行う制御部と、
を具備したことを特徴とする光ディスク記録再生装置。
【請求項３】
前記光ピックアップは、
前記複数のレーザダイオードを駆動する駆動電流を供給するレーザ駆動部と、
前記複数のレーザダイオードと前記レーザ駆動部との間に接続され前記レーザ駆動部か
らの駆動電流が前記複数のレーザダイオードのいずれかに与えられるように電流経路を切
り換える第１の切換部と、
前記複数のレーザダイオードに定電流を流し、そのときの前記複数のレーザダイオード
の順方向電圧から前記複数のレーザダイオードの温度を検出する温度検出部と、
前記複数のレーザダイオードと前記温度検出部との間に接続され前記温度検出部からの
定電流が前記複数のレーザダイオードのいずれかに与えられるように電流経路を切り換え
る第２の切換部と、
を有し、
前記制御部は、
前記複数のレーザダイオードのうちの１つのレーザダイオードを発光させるように第１
の切換部を切り換え、前記１つのレーザダイオード以外の他の１つのレーザダイオードの
温度を検出するように第２の切換部を切り換え、前記温度検出部により検出された温度が
所定の温度を超えたときには前記レーザ駆動部の動作を停止させることを特徴とする請求
項２に記載の光ディスク記録再生装置。
【請求項４】
前記光ピックアップは、
前記複数のレーザダイオードから出射されたレーザ光の光ディスクによる反射光を受光
して受光信号に変換する受光部と、
フォーカスエラー信号及びトラッキングエラー信号に基づいて光学系のフォーカスサー
ボ及びトラッキングサーボを行うアクチュエータと、
を有し、
前記制御部は、
前記フォーカスエラー信号及びトラッキングエラー信号を前記受光信号と記憶している
オフセット値とから生成して前記アクチュエータに与えるとともに、前記温度検出部によ
り検出された温度と前記オフセット値を記憶したときの温度との差分が所定の差分を超え
たときにはオフセット値を記憶し直すことを特徴とする請求項３に記載の光ディスク記録
再生装置。
【請求項５】
前記制御部は、前記複数のレーザダイオードのうち、装着された光ディスクの種類に対
応する１つのレーザダイオードを発光させるように第１の切換部を切り換え、発光させる
レーザダイオード以外のいずれか１つのレーザダイオードの温度を検出するように第２の
切換部を切り換えることを特徴とする請求項３または請求項４に記載の光ディスク記録再
生装置。
【請求項６】
前記複数のレーザダイオードが、第１、第２の２つのレーザダイオードであることを特
徴とする請求項２〜請求項５のいずれかに記載の光ディスク記録再生装置。
【発明の詳細な説明】
【技術分野】
【０００１】
本発明は、光ディスクに対して情報を記録したり、光ディスクに記録されている情報を
再生したりする光ディスク記録再生装置に関し、特に、温度変化が生じた場合であっても
安定した記録、再生を行うことができるとともに、レーザ光を出射するレーザダイオード
の温度上昇による劣化や破壊を防止することのできる光ディスク記録再生装置に関する。
【背景技術】
【０００２】
近年、ＣＤ（Compact Disk）よりも大容量の光ディスクであるＤＶＤ（Digital Versat
ile Disc）が普及してきており、ＣＤ、ＤＶＤの両方を読み書きすることのできる光ディ
スク記録再生装置に対する市場の要求が高まっている。ＤＶＤは、情報がＣＤのトラック
ピッチよりも短いトラックピッチで高密度に記録されているため、ＤＶＤに情報を記録し
たり、記録されている情報を再生したりする場合、ＤＶＤに照射されるレーザ光の波長は
、ＣＤの場合の７８０ｎｍから６５０ｎｍに変更される。
【０００３】
即ち、この種の光ディスク記録再生装置は、７８０ｎｍの波長のレーザ光を出射するレ
ーザダイオードと６５０ｎｍの波長のレーザ光を出射するレーザダイオードの２つのレー
ザダイオードを備えている。また、ＤＶＤよりも更に短いトラックピッチで更に高密度に
情報が記録されるブルーレイディスク等の新たな規格の光ディスクも開発されており、こ
のような光ディスクにも対応する光ディスク記録再生装置は、更に短い波長のレーザ光を
出射するレーザダイオードも備えることになる。
【０００４】
このようなレーザダイオードは、電流を供給することにより発光するものであるが、発
光の際に発生する熱によってレーザダイオードの温度が上昇することがある。そして、レ
ーザダイオードの温度が上昇すると、発するレーザ光に波長変動が生じ、再生や記録処理
などに影響を与えてしまうことがある。
【０００５】
また、レーザダイオードの温度が上昇すると、このレーザダイオードが高温に起因して
劣化したり光量が減少したりすることがある。そこで、この種の光ディスク記録再生装置
は、レーザダイオードからのレーザ光の一部をモニタして出力光量が一定になるようにフ
ィードバック制御するＡＰＣ（Auto Power Control）機能を備えているが、レーザダイオ
ードの出力光量が減少した場合、このＡＰＣ機能により、光量を増やす、即ち、レーザダ
イオードに流す電流を増やす方向に制御が働き、更なるレーザダイオードの温度上昇を引
き起こし、ひいては、レーザダイオードが破壊してしまうということが考えられる。
【０００６】
このため、従来の光ディスク記録再生装置では、レーザダイオードのより近い位置に熱
電対センサや赤外線センサ等の温度検出用センサを個別に設け、レーザダイオードの温度
を検出し、その結果に応じて発光制御や冷却制御等を行っていた。
【０００７】
また、この種の光ディスク記録再生装置においては、フォーカスサーボや、トラッキン
グサーボが行われている。そして、このフォーカスサーボやトラッキングサーボにおいて
は、個体差や使用状況に適合させるためにオフセット調整を行っている。
【０００８】
このオフセット調整を光ディスク記録再生装置の起動時、即ち、該光ディスク記録再生
装置に光ディスクを装着した際に１度だけ行い、光ディスクを取り出すまでの間、そのと
き設定されたオフセット値を基準としてフォーカスサーボやトラッキングサーボを行うこ
とにすると、該光ディスク記録再生装置の周囲温度が変化したり、上述したように、レー
ザダイオードが発熱したりすることにより、レーザダイオードを搭載した光ピックアップ
の温度が変化した場合に、回路のオフセット特性や、光ピックアップの光学特性に変化が
現れ、設定されているオフセット値が最適値から外れてしまうということがあった。
【０００９】
このため、従来の光ディスク記録再生装置では、光ピックアップのより近い位置に熱電
対センサや赤外線センサ等の温度検出用センサを個別に設け、所定値以上の温度変化を検
出した場合、再びフォーカスサーボやトラッキングサーボのオフセット調整を行うように
していた。
【００１０】
また、筐体内部にレーザダイオードおよびモニタダイオードを内蔵したレーザ発光体に
おいて、前記レーザダイオードの温度を検出する温度検出装置であって、前記モニタダイ
オードに外部から電圧を印加した時に発生する電力を検出する電力検出手段と、前記電力
検出手段の検出結果に基づいて、前記レーザダイオードの温度を検出する温度検出手段と
を具備することを特徴とするレーザ発光体の温度検出装置がある（例えば、特許文献１参
照）。
【００１１】
また、レーザダイオードとバックモニタを備えたレーザダイオード部に、直列接続され
た抵抗とダイオードからなる温度検出部を備え、前記温度検出部は、コントローラから定
電流または定電圧が供給されて前記レーザダイオード近傍の温度に応じた温度検出電圧を
オートパワーコントロールに出力し、前記オートパワーコントロールは、前記温度検出電
圧が所定の基準電圧を超えると、コントローラを介してドライバによる前記レーザダイオ
ードの駆動を停止させるレーザダイオード装置がある（例えば、特許文献２参照）。
【００１２】
また、レーザチップ内に、クラッド層に挟まれた活性層の通電領域をレーザ発振領域と
し、独立駆動可能な少なくとも一対のレーザ共振器を形成するとともに、これら対をなす
レーザ共振器の一方が他方の光干渉を受ける構造とする半導体レーザがある（例えば、特
許文献３参照）。
【特許文献１】特開２００１−２１６６７２号公報
【特許文献２】特開２００２−２３２０７３号公報
【特許文献３】特開平５−３４３７９７号公報
【発明の開示】
【発明が解決しようとする課題】
【００１３】
しかしながら、従来の光ディスク記録再生装置は、上述した熱電対センサや赤外線セン
サ等の温度検出用センサを、レーザダイオードや光ピックアップのより近い位置に別途設
ける必要があり、光ピックアップ、光ディスク記録再生装置を構成する部品点数の増加や
コストの上昇を招いてしまうという問題があった。
【００１４】
また、特許文献１に記載の従来技術は、レーザダイオードの温度上昇を検出するための
モニタダイオードをレーザ発光体内に別途設ける必要があり、レーザ発光体が大型化した
りコストが上昇したりして、ひいては光ディスク記録再生装置の大型化やコストの上昇を
招いてしまうという問題があった。
【００１５】
また、特許文献２に記載の従来技術は、レーザダイオードの温度上昇を検出するための
直列接続された抵抗とダイオードをレーザダイオード部内に別途設ける必要があり、レー
ザダイオード部が大型化したりコストが上昇したりして、ひいては光ディスク記録再生装
置の大型化やコストの上昇を招いてしまうという問題があった。
【００１６】
また、特許文献３に記載の従来技術は、レーザチップ内に、発振させてレーザビームを
出射するレーザ共振器と対を成す他のレーザ共振器を別途設ける必要があり、レーザチッ
プが大型化したりコストが上昇したりして、ひいては光ディスク記録再生装置の大型化や
コストの上昇を招いてしまうという問題があった。
【００１７】
また、特許文献１、２、３のいずれにも、フォーカスサーボやトラッキングサーボにお
ける温度変化に対するオフセット値の再調整についての問題を解決するための記述はない
。
【００１８】
本発明は、上記のような問題点を解決するためになされたもので、大型化や部品点数の
増加、コストの上昇を招くことなく、温度変化が生じた場合であっても安定した記録、再
生を行うことができるとともに、温度上昇によるレーザダイオードの劣化や破壊を防止す
ることのできる光ディスク記録再生装置を提供することを目的とする。
【課題を解決するための手段】
【００１９】
上記目的を達成するために、請求項１の発明は、光ディスクに対して情報を記録したり
、光ディスクに記録されている情報を再生したりする光ディスク記録再生装置において、
出射されるレーザ光の波長が異なり互いに近接した位置に配置された第１、第２のレーザ
ダイオードと、第１、第２のレーザダイオードを駆動する駆動電流を供給するレーザ駆動
部と、第１、第２のレーザダイオードと前記レーザ駆動部との間に接続され前記レーザ駆
動部からの駆動電流が第１、第２のレーザダイオードのいずれか一方に与えられるように
電流経路を切り換える第１の切換部と、第１、第２のレーザダイオードに定電流を流し、
そのときの第１、第２のレーザダイオードの順方向電圧から第１、第２レーザダイオード
の温度を検出する温度検出部と、第１、第２のレーザダイオードと前記温度検出部との間
に接続され前記温度検出部からの定電流が第１、第２のレーザダイオードのいずれか一方
に与えられるように電流経路を切り換える第２の切換部と、第１、第２のレーザダイオー
ドから出射されたレーザ光の光ディスクによる反射光を受光して受光信号に変換する受光
部と、フォーカスエラー信号及びトラッキングエラー信号に基づいて光学系のフォーカス
サーボ及びトラッキングサーボを行うアクチュエータとを有する光ピックアップと、前記
フォーカスエラー信号及びトラッキングエラー信号を前記受光部からの受光信号と記憶し
ているオフセット値とから生成して前記アクチュエータに与えるとともに、第１、第２の
レーザダイオードのうち、装着された光ディスクの種類に対応する一方のレーザダイオー
ドを発光させるように第１の切換部を切り換え、他方のレーザダイオードの温度を検出す
るように第２の切換部を切り換え、前記温度検出部により検出された温度と前記オフセッ
ト値を記憶したときの温度との差分が所定の差分を超えたときにはオフセット値を記憶し
直し、前記温度検出部により検出された温度が所定の温度を超えたときには前記レーザ駆
動部の動作を停止させる制御部とを具備したものである。
【００２０】
この構成によれば、制御部が第１の切換部を切り換えることにより、第１、第２のレー
ザダイオードの一方のレーザダイオードにレーザ駆動回路からの駆動電流を供給し、その
一方のレーザダイオードから所定の波長のレーザ光を出射させることができる。そのよう
にして、波長の異なる２つのレーザ光を出射することができるので、少なくとも２つの異
なる種類の光ディスクに情報を記録したり、記録されている情報を再生したりすることが
できる。
【００２１】
また、制御部が第２の切換部を切り換えることにより、第１、第２のレーザダイオード
のうちの発光させる一方のレーザダイオードではない他方のレーザダイオードに温度検出
部からの定電流を流し、そのときの前記他方のレーザダイオードの順方向電圧から前記他
方のレーザダイオードの温度を検出することができる。これにより、新たな温度検出セン
サ等を別途設けることなく、レーザダイオード及び光ピックアップの温度を検出すること
ができ、レーザダイオード及び光ピックアップの温度変化に対する対処を行うことができ
る。
【００２２】
温度検出部により検出された前記他方のレーザダイオードの温度は、近接した位置に配
置された発光させる方のレーザダイオードの温度とすることができる。従って、温度変化
に対する対処として、温度検出部により検出された温度、即ち、発光しているレーザダイ
オードの温度が所定の温度を超えたときには、このレーザダイオードの発光を停止させて
、このレーザダイオードの温度上昇による劣化、破壊等を防止することができる。
【００２３】
また、温度検出部により検出された前記他方のレーザダイオードの温度は、光ピックア
ップの温度に関係する温度と考えることができる。従って、温度変化に対する対処として
、光ピックアップの光学系のフォーカスサーボ及びトラッキングサーボのためのフォーカ
スエラー信号及びトラッキングエラー信号の生成に用いる実際のオフセット値が、光ピッ
クアップの温度が変化することにより記憶しているオフセット値と異なることになる場合
であっても、オフセット値を再度記憶し直すことにより、光ピックアップの光学系のフォ
ーカスサーボ及びトラッキングサーボを精度良く行うことができる。
【００２４】
請求項２の発明は、光ディスクに対して情報を記録したり、光ディスクに記録されてい
る情報を再生したりする光ディスク記録再生装置において、出射されるレーザ光の波長が
異なり互いに近接した位置に配置された複数のレーザダイオードを有し、該複数のレーザ
ダイオードのいずれかを発光させ、発光させるレーザダイオード以外のいずれか他のレー
ザダイオードの温度を検出する光ピックアップと、検出された前記他のレーザダイオード
の温度に基づいて前記光ピックアップの動作制御を行う制御部とを具備したものである。
【００２５】
この構成によれば、波長の異なる複数のレーザ光を出射することができるので、複数の
異なる種類の光ディスクに情報を記録したり、記録されている情報を再生したりすること
ができる。また、新たな温度検出センサ等を別途設けることなく、レーザダイオード及び
光ピックアップの温度を検出することができ、レーザダイオード及び光ピックアップの温
度変化に対する対処を行うことができる。
【００２６】
請求項３の発明は、請求項２の発明において、前記光ピックアップは、前記複数のレー
ザダイオードを駆動する駆動電流を供給するレーザ駆動部と、前記複数のレーザダイオー
ドと前記レーザ駆動部との間に接続され前記レーザ駆動部からの駆動電流が前記複数のレ
ーザダイオードのいずれかに与えられるように電流経路を切り換える第１の切換部と、前
記複数のレーザダイオードに定電流を流し、そのときの前記複数のレーザダイオードの順
方向電圧から前記複数のレーザダイオードの温度を検出する温度検出部と、前記複数のレ
ーザダイオードと前記温度検出部との間に接続され前記温度検出部からの定電流が前記複
数のレーザダイオードのいずれかに与えられるように電流経路を切り換える第２の切換部
とを有し、前記制御部は、前記複数のレーザダイオードのうちの１つのレーザダイオード
を発光させるように第１の切換部を切り換え、前記１つのレーザダイオード以外の他の１
つのレーザダイオードの温度を検出するように第２の切換部を切り換え、前記温度検出部
により検出された温度が所定の温度を超えたときには前記レーザ駆動部の動作を停止させ
るようにしたものである。
【００２７】
この構成によれば、制御部が第１の切換部を切り換えることにより、複数のレーザダイ
オードのうちの１つのレーザダイオードにレーザ駆動回路からの駆動電流を供給し、その
１つのレーザダイオードから所定の波長のレーザ光を出射させることができる。また、制
御部が第２の切換部を切り換えることにより、複数のレーザダイオードのうちの発光させ
るレーザダイオード以外の１つの他のレーザダイオードに温度検出部からの定電流を流し
、そのときの前記他のレーザダイオードの順方向電圧から前記他のレーザダイオードの温
度を検出することができる。
【００２８】
このとき検出された他のレーザダイオードの温度は、近接した位置に配置された発光さ
せるレーザダイオードの温度とすることができる。従って、温度検出部により検出された
温度、即ち、発光しているレーザダイオードの温度が所定の温度を超えたときには、この
レーザダイオードの発光を停止させて、このレーザダイオードの温度上昇による劣化、破
壊等を防止することができる。
【００２９】
請求項４の発明では、請求項３の発明において、前記光ピックアップは、前記複数のレ
ーザダイオードから出射されたレーザ光の光ディスクによる反射光を受光して受光信号に
変換する受光部と、フォーカスエラー信号及びトラッキングエラー信号に基づいて光学系
のフォーカスサーボ及びトラッキングサーボを行うアクチュエータとを有し、前記制御部
は、前記フォーカスエラー信号及びトラッキングエラー信号を前記受光信号と記憶してい
るオフセット値とから生成して前記アクチュエータに与えるとともに、前記温度検出部に
より検出された温度と前記オフセット値を記憶したときの温度との差分が所定の差分を超
えたときにはオフセット値を記憶し直すようにしている。
【００３０】
この構成によれば、温度検出部により検出された前記他のレーザダイオードの温度は、
光ピックアップの温度に関係する温度と考えることができる。従って、光ピックアップの
光学系のフォーカスサーボ及びトラッキングサーボのためのフォーカスエラー信号及びト
ラッキングエラー信号の生成に用いる実際のオフセット値が、光ピックアップの温度が変
化することにより記憶しているオフセット値と異なることになる場合であっても、オフセ
ット値を再度記憶し直すことにより、光ピックアップの光学系のフォーカスサーボ及びト
ラッキングサーボを精度良く行うことができる。
【００３１】
請求項５の発明では、請求項３または請求項４の発明において、前記制御部は、前記複
数のレーザダイオードのうち、装着された光ディスクの種類に対応する１つのレーザダイ
オードを発光させるように第１の切換部を切り換え、発光させるレーザダイオード以外の
いずれか１つのレーザダイオードの温度を検出するように第２の切換部を切り換えるよう
にしている。
【００３２】
このようにすれば、複数の異なる種類の光ディスクのそれぞれの光ディスクの種類に合
った波長のレーザ光を出射して、その光ディスクに情報を記録したり、記録されている情
報を再生したりすることができる。
【００３３】
請求項６の発明では、請求項２〜請求項５のいずれかの発明において、前記複数のレー
ザダイオードが、第１、第２の２つのレーザダイオードであることを特徴とするものであ
る。
【００３４】
この構成によれば、少なくとも２種類の光ディスクに対応し、大型化や部品点数の増加
、コストの上昇を招くことなく、温度変化が生じた場合であっても安定した記録、再生を
行うことができるとともに、温度上昇によるレーザダイオードの劣化や破壊を防止するこ
とのできる光ディスク記録再生装置が実現できる。
【発明の効果】
【００３５】
以上のように本発明によれば、複数の異なる種類の光ディスクに情報を記録したり、記
録されている情報を再生したりすることができ、大型化や部品点数の増加、コストの上昇
を招くことなく、温度変化が生じた場合であっても安定した記録、再生を行うことができ
るとともに、温度上昇によるレーザダイオードの劣化や破壊を防止することのできる光デ
ィスク記録再生装置が実現できる。
【発明を実施するための最良の形態】
【００３６】
以下、添付図面を参照しつつ、本発明の実施の形態について説明する。図１は本発明の
一実施形態に係る光ディスク記録再生装置の構成を概略的に示す概略構成図である。図１
に示す光ディスク記録再生装置は、光ディスク４に情報を記録したり、光ディスク４に記
録された情報を再生したりするために、レーザ光を出射するとともに光ディスク４からの
反射光を受光する光ピックアップ１と、光ピックアップ１の動作制御を行う制御部２を備
えている。
【００３７】
光ディスク４がＣＤの場合、光ピックアップ１からは、波長が７８０ｎｍのレーザ光Ｌ
１が出射され、光ディスク４がＤＶＤの場合、光ピックアップ１からは、波長が６５０ｎ
ｍのレーザ光Ｌ２が出射される。尚、光ディスク４がＣＤであるかＤＶＤであるかは、光
ディスク４が装着されたときに、制御部２により所定の方法で判別される。
【００３８】
光ピックアップ１は、レーザ光Ｌ１、Ｌ２を出射するレーザダイオードチップ（ＬＤチ
ップ）７および回折格子８を有する光源ユニット３と、レーザ光Ｌ１、Ｌ２を光ディスク
４の情報記録面に集光する光学系５と、反射光を受光する受光部６とを備えている。
【００３９】
また、光ピックアップ１において、ＬＤチップ７は、レーザ制御部２０内の図示しない
レーザ駆動部に駆動されてレーザ光Ｌ１またはレーザ光Ｌ２を出射する。光ピックアップ
１は、ＬＤチップ７より出射されたレーザ光Ｌ１またはレーザ光Ｌ２を回折格子８により
主ビーム（０次光）Ｌ０と先行ビーム（＋１次光）と後行ビーム（−１次光）に分離し、
この３つのレーザビームを偏光ビームスプリッタ９、コリメータレンズ１０、１／４波長
板１１、対物レンズ１２を経て、光ディスク４の情報記録面に集光させるようになってい
る。そして、光ディスク４の情報記録面で反射された３つのレーザビームを、再び対物レ
ンズ１２、１／４波長板１１、コリメータレンズ１０を透過させて、偏光ビームスプリッ
タ９で反射させ、シリンドリカルレンズ１３を経て、受光部６に入射させるようになって
いる。
【００４０】
対物レンズ１２は、フォーカスアクチュエータ１４及びトラッキングアクチュエータ１
５に保持されて、レーザ光Ｌ１、Ｌ２の光軸方向及び光ディスク４の半径方向に移動でき
るようになっている。
【００４１】
制御部２は、受光部６から出力される受光信号より複数の制御信号を生成し、各種制御
を行う。また、制御部２は、これら受光信号よりフォーカスエラー信号ＦＥ及びトラッキ
ングエラー信号ＴＥを生成してフォーカスアクチュエータ１４及びトラッキングアクチュ
エータ１５に供給することにより、フォーカスサーボ及びトラッキングサーボを行う。こ
こでのトラッキングサーボは、上述した回折格子８により得られた主ビームおよび２つの
副ビームを用いた方法、いわゆる３ビーム法により行われる。また、制御部２は、光ディ
スク４に記録されたデータを再生する場合は、これら受光信号を加算して再生信号ＲＦを
生成する。
【００４２】
また、記録処理を行う場合には、制御部２は、記録すべき内容に応じた記録情報を生成
し、これをレーザ制御部２０に送出する。レーザ制御部２０は、この記録情報に応じてＬ
Ｄチップ７の発光を制御し、これにより光ディスク４に所望の情報を記録するようになっ
ている。また、再生時にもレーザ制御部２０は、ＬＤチップ７の発光を制御している。尚
、ＬＤチップ７の発光量は、ＬＤチップ７からのレーザ光Ｌ１、Ｌ２の一部をフロントモ
ニタダイオード（不図示）でモニタした光量が所定の値になるようにフィードバック制御
されている。
【００４３】
また、レーザ制御部２０は、記録、再生のために発光しているＬＤチップ７内のレーザ
ダイオードの温度を検出した温度情報を制御部２に与え、制御部２は与えられた温度情報
に基づいて、フォーカスエラー信号ＦＥ及びトラッキングエラー信号ＴＥにふくまれるオ
フセット値のキャリブレーション、即ち、オフセット調整を行う。
【００４４】
ここで、このオフセット調整について説明する。図２は、受光部６を構成するフォトデ
ィテクタ（受光素子）のうちの主ビームを受光するメインフォトディテクタの構成を示す
図である。図２に示すメインフォトディテクタ６ａは４分割されたエリアを有し、それぞ
れのエリアから受光信号Ａ、Ｂ、Ｃ、Ｄを出力する。この受光信号Ａ、Ｂ、Ｃ、Ｄには、
それぞれのエリアで受光した主ビームの光量に応じた受光信号Ａ１、Ｂ１、Ｃ１、Ｄ１以
外に、それぞれのエリアのオフセット信号ａ１、ｂ１、ｃ１、ｄ１が含まれている。
【００４５】
この受光信号Ａ、Ｂ、Ｃ、Ｄは制御部２に与えられ、制御部２は、ＦＥ＝（Ａ＋Ｄ）−
（Ｂ＋Ｃ）−ＦＥofset、ＦＥofset＝（ａ１＋ｄ１）−（ｂ１＋ｃ１）の演算を行ってフ
ォーカスエラー信号ＦＥを得る。そして、フォーカスベストの状態になるように、即ち、
フォーカスエラー信号ＦＥ＝０になるようにフォーカスサーボを行う。
【００４６】
上記のフォーカスエラー信号ＦＥの算出式から、オフセット値ＦＥofsetが差し引かれ
ているのは、このオフセット値ＦＥofsetを差し引かなければ、実際には主ビームのスポ
ットがフォーカスベストの状態、即ち、（Ａ１＋Ｄ１）−（Ｂ１＋Ｃ１）＝０の状態であ
っても、フォーカスエラー信号ＦＥには、（ａ１＋ｄ１）−（ｂ１＋ｃ１）のオフセット
値ＦＥofsetが残ることになるので、これをキャンセルするためである。
【００４７】
このオフセット値ＦＥofsetは、通常、光ディスク記録再生装置の起動時に算出されて
制御部２に記憶されているが、各オフセット信号ａ１、ｂ１、ｃ１、ｄ１は温度ドリフト
するので、そのときの実際のオフセット値ＦＥofsetと記憶されているオフセット値ＦＥo
fsetとが温度変化によって食い違ってしまい、精度良くフォーカスサーボが行えなくなる
ことがある。
【００４８】
また、制御部２は、メインフォトディテクタ６ａからの受光信号と、受光部６を構成し
、先行ビーム、後行ビームをそれぞれ受光するサブフォトディテクタ（不図示）からの受
光信号とからトラッキングエラー信号ＴＥを算出する。このトラッキングエラー信号ＴＥ
の算出の場合も、各受光信号にはオフセット信号が含まれているので、トラッキングエラ
ー信号ＴＥからは、それらのオフセット信号を所定の式で演算して算出したオフセット値
ＴＥofsetが差し引かれる。
【００４９】
そして、この場合も、オフセット値ＴＥofsetは、通常、光ディスク記録再生装置の起
動時に算出されて制御部２に記憶されているが、各オフセット信号は温度ドリフトするの
で、オフセット値ＴＥofsetも温度によって変化する。従って、そのときの実際のオフセ
ット値ＴＥofsetと記憶されているオフセット値ＴＥofsetとが温度変化によって食い違っ
てしまい、精度良くトラッキングサーボが行えなくなることがある。
【００５０】
そこで、温度変化が生じたときなどに、その時点でのオフセット値ＦＥofset、及びオ
フセット値ＴＥofsetを再度記憶し直して調整する必要があり、この再度記憶し直して調
整することをオフセット調整といっている。
【００５１】
図３は、図１に示すＬＤチップ７とレーザ制御部２０の構成を示すブロック図である。
ＬＤチップ７は、レーザ光Ｌ１を出射するレーザダイオードＬＤ１、及び、レーザ光Ｌ２
を出射するレーザダイオードＬＤ２から成り、レーザダイオードＬＤ１、ＬＤ２は、互い
が至近位置になるように配置されている。これにより、レーザダイオードＬＤ１、ＬＤ２
は、互いに十分に熱結合され、両者はほぼ同じ温度となるようになっている。
【００５２】
レーザ制御部２０は、レーザ駆動部２１と、温度検出部２２と、スイッチＳＷ１〜ＳＷ
４から構成されている。レーザダイオードＬＤ１は、スイッチＳＷ１を介してレーザ駆動
部２１に接続されており、レーザ駆動部２１は、スイッチＳＷ１がオン（閉成）している
ときに、制御部２からの記録情報や再生要求等の信号に基づいて、レーザダイオードＬＤ
１がレーザ光Ｌ１を発光するのに必要な閾値電流Ｉth１以上の駆動電流をレーザダイオー
ドＬＤ１に供給する。
【００５３】
一方、レーザダイオードＬＤ２は、スイッチＳＷ２を介してレーザ駆動部２１に接続さ
れており、レーザ駆動部２１は、スイッチＳＷ２がオン（閉成）しているときに、制御部
２からの記録情報や再生要求等の信号に基づいて、レーザダイオードＬＤ２がレーザ光Ｌ
２を発光するのに必要な閾値電流Ｉth２以上の駆動電流をレーザダイオードＬＤ２に供給
する。
【００５４】
スイッチＳＷ１、ＳＷ２のオン（閉成）／オフ（開放）制御は、制御部２によって行わ
れ、スイッチＳＷ１、ＳＷ２のいずれか一方がオン（閉成）、他方がオフ（開放）になる
ように制御される。
【００５５】
尚、レーザ駆動部２１は、レーザダイオードＬＤ１、ＬＤ２からのレーザ光Ｌ１、Ｌ２
の一部をフロントモニタダイオード（不図示）でモニタした光量が所定の値になるように
フィードバック制御するＡＰＣ（オートパワーコントロール）機能を有している。
【００５６】
また、レーザダイオードＬＤ１は、スイッチＳＷ３を介して温度検出部２２に接続され
、レーザダイオードＬＤ２は、スイッチＳＷ４を介して温度検出部２２に接続されている
。
【００５７】
温度検出部２２は、スイッチＳＷ３がオン（閉成）しているときに、レーザダイオード
ＬＤ１の発光に必要な閾値電流Ｉth１より小さい所定の定電流をレーザダイオードＬＤ１
に供給し、そのときのレーザダイオードＬＤ１の順方向電圧Ｖｆ１を測定し、測定した順
方向電圧Ｖｆ１からレーザダイオードＬＤ１の温度を算出して制御部２に与える。
【００５８】
また、温度検出部２２は、スイッチＳＷ４がオン（閉成）しているときに、レーザダイ
オードＬＤ２の発光に必要な閾値電流Ｉth２より小さい所定の定電流をレーザダイオード
ＬＤ２に供給し、そのときのレーザダイオードＬＤ２の順方向電圧Ｖｆ２を測定し、測定
した順方向電圧Ｖｆ２からレーザダイオードＬＤ２の温度を算出して制御部２に与える。
【００５９】
スイッチＳＷ３、ＳＷ４のオン（閉成）／オフ（開放）制御は、制御部２によって行わ
れ、スイッチＳＷ３、ＳＷ４のいずれか一方がオン（閉成）、他方がオフ（開放）になる
ように制御される。このとき、スイッチＳＷ３は、スイッチＳＷ１がオンしているときに
オフ、オフしているときにオンとなり、スイッチＳＷ４は、スイッチＳＷ２がオンしてい
るときにオフ、オフしているときにオンとなるように制御される。スイッチＳＷ３、ＳＷ
４をこのように制御することにより、発光していない方のレーザダイオードの順方向電圧
Ｖｆを測定することができる。
【００６０】
一般的に、ダイオードの順方向電圧Ｖｆは、図４に示すような温度特性を有しており、
Ｖｆ＝α＋β×Ｔ（Ｔは温度[℃]、αは初期電圧、βは温度係数）で表される。これは、
レーザダイオードＬＤ１、ＬＤ２の場合も同様である。従って、上述したように、レーザ
ダイオードＬＤ１、ＬＤ２の順方向電圧Ｖｆ１、Ｖｆ２を測定することにより、測定時の
レーザダイオードＬＤ１、ＬＤ２の温度を算出することができる。
【００６１】
但し、レーザダイオードが発光している場合、その発光しているレーザダイオードの順
方向電圧Ｖｆは、発光させるために流している駆動電流の大きさによっても変動するし、
上述したような所定の温度係数で比例する特性とはならない場合もある。そこで、発光し
ていないレーザダイオードの順方向電圧Ｖｆを、発光させない大きさの定電流を流した状
態で測定し、その測定した順方向電圧Ｖｆから発光していないレーザダイオードの温度を
算出すると、正確なレーザダイオードの温度を取得することができる。そのようにして検
出した温度は、発光しない方のレーザダイオードの温度であるが、本実施形態のように、
レーザダイオードＬＤ１、ＬＤ２を互いに近接した位置に配置しておくことにより、レー
ザダイオードＬＤ１、ＬＤ２は十分に熱結合するので、その検出した温度を発光している
レーザダイオードの温度とすることができる。
【００６２】
次に、このような構成の光ディスク記録再生装置の動作を図５を参照して説明する。図
５は、図１に示す光ディスク記録再生装置の動作を示すフローチャートである。先ず、光
ディスクが装着され光ディスク記録再生装置が起動すると（ステップＳ１）、制御部２は
装着されている光ディスクがＣＤであるかＤＶＤであるかを判別する（ステップＳ２）。
この判別方法については種々の方法があるが、本発明とは関係がないので、その説明は省
略する。
【００６３】
そして、装着されている光ディスクがＣＤであると判別した場合（ステップＳ２）、制
御部２はＣＤ用のレーザダイオードＬＤ１を発光させるため、スイッチＳＷ１をオン、ス
イッチＳＷ２をオフさせる。このとき同時に、スイッチＳＷ３をオフ、スイッチＳＷ４を
オンさせる（ステップＳ３）。
【００６４】
次に、温度検出部２２は、ＳＷ４を介してレーザダイオードＬＤ２に所定の定電流を流
し、そのときのレーザダイオードＬＤ２の順方向電圧Ｖｆ２を測定し、測定した順方向電
圧Ｖｆ２からレーザダイオードＬＤ２の温度Ｔ２を算出して制御部２に与える（ステップ
Ｓ４）。そして、制御部２は与えられた温度Ｔ２を基準温度Ｔref２として記憶する（ス
テップＳ５）。
【００６５】
次に、制御部２は、上述したオフセット調整を行い、この時点でのオフセット値ＦＥof
set及びオフセット値ＴＥofsetを記憶する（ステップＳ６）。そして、以後、この記憶さ
れたオフセット値ＦＥofset及びオフセット値ＴＥofsetを用いて生成されるフォーカスエ
ラー信号ＦＥ及びトラッキングエラー信号ＴＥで、フォーカスサーボ及びトラッキングサ
ーボが行われる。
【００６６】
次に、制御部２は、レーザ駆動部２１に記録情報や再生要求等の信号を与え、レーザ駆
動部２１は与えられた信号に応じて、スイッチＳＷ１を介してレーザダイオードＬＤ１に
駆動電流を供給し、レーザダイオードＬＤ１からレーザ光Ｌ１を出射させる（ステップＳ
７）。これにより、ＣＤである光ディスク４への情報の記録、またはＣＤである光ディス
ク４に記録されている情報の再生が行われる。
【００６７】
このとき、制御部２は、光ディスク４が取り外されたり、光ディスク記録再生装置の動
作停止要求があったりした場合は（ステップＳ８）、光ディスク記録再生装置の動作を停
止させる（終了）。
【００６８】
光ディスク４が取り外されることなく、光ディスク記録再生装置の動作停止要求もない
場合は（ステップＳ８）、温度検出部２２は、ＳＷ４を介してレーザダイオードＬＤ２に
所定の定電流を流し、そのときのレーザダイオードＬＤ２の順方向電圧Ｖｆ２を測定し、
測定した順方向電圧Ｖｆ２からレーザダイオードＬＤ２の温度Ｔ２を算出して制御部２に
与える（ステップＳ９）。
【００６９】
そして、制御部２は与えられた温度Ｔ２とステップＳ５の時点で記憶した基準温度Ｔre
f２との差分｜Ｔ２−Ｔref２｜（絶対値）を計算し、差分｜Ｔ２−Ｔref２｜と予め定め
られている変化許容幅ΔＴ２とを比較する（ステップＳ１０）。尚、この変化許容幅ΔＴ
２とは、レーザダイオードＬＤ２の温度がこれ以上変化（上昇／下降）すれば、光ピック
アップ１の構成要素の温度ドリフトにより再度、上述したオフセット調整が必要となる温
度の変化分を意味している。
【００７０】
差分｜Ｔ２−Ｔref２｜が変化許容幅ΔＴ２よりも大きい場合は、ステップＳ５に戻り
、このときの温度Ｔ２が新たに基準温度Ｔref２として記憶され、再度、オフセット調整
が行われる（ステップＳ６）。
【００７１】
このとき、オフセット調整が行われる間は、レーザダイオードＬＤ１の発光が停止する
ので、光ディスク４に記録されている情報の読み取りができなくなるが、通常、光ディス
ク記録再生装置は、いわゆる音（映像）飛び防止のために、十数秒間の再生を行えるだけ
の情報を予め読み出して記憶しているので、オフセット調整を行う短時間、レーザダイオ
ードＬＤ１の発光が停止しても問題はない。
【００７２】
一方、差分｜Ｔ２−Ｔref２｜が変化許容幅ΔＴ２よりも小さい場合は、次に、制御部
２は、与えられた温度Ｔ２と予め定められているレーザダイオードＬＤ２の許容上限温度
Ｔup２とを比較する（ステップＳ１１）。
【００７３】
温度Ｔ２が許容上限温度Ｔup２よりも小さい場合は、ステップＳ７に戻り、記録、再生
動作が継続されることになる。一方、温度Ｔ２が許容上限温度Ｔup２よりも大きい場合は
、レーザダイオードＬＤ１の発光を停止して記録、再生動作を停止する（ステップＳ１２
）。そして、所定時間経過後、或いは温度Ｔ２を測定し続け、温度Ｔ２が許容上限温度Ｔ
up２よりも小さくなれば、ステップＳ７に戻り、記録、再生動作を再開する。
【００７４】
一方、ステップＳ２において、装着されている光ディスクがＣＤではない、即ち、ＤＶ
Ｄであると判別した場合（ステップＳ２）、制御部２はＤＶＤ用のレーザダイオードＬＤ
２を発光させるため、スイッチＳＷ１をオフ、スイッチＳＷ２をオンさせる。このとき同
時に、スイッチＳＷ３をオン、スイッチＳＷ４をオフさせる（ステップＳ１３）。
【００７５】
次に、温度検出部２２は、ＳＷ３を介してレーザダイオードＬＤ１に所定の定電流を流
し、そのときのレーザダイオードＬＤ１の順方向電圧Ｖｆ１を測定し、測定した順方向電
圧Ｖｆ１からレーザダイオードＬＤ１の温度Ｔ１を算出して制御部２に与える（ステップ
Ｓ１４）。そして、制御部２は与えられた温度Ｔ１を基準温度Ｔref１として記憶する（
ステップＳ１５）。
【００７６】
次に、制御部２は、上述したオフセット調整を行い、この時点でのオフセット値ＦＥof
set及びオフセット値ＴＥofsetを記憶する（ステップＳ１６）。そして、以後、この記憶
されたオフセット値ＦＥofset及びオフセット値ＴＥofsetを用いて生成されるフォーカス
エラー信号ＦＥ及びトラッキングエラー信号ＴＥで、フォーカスサーボ及びトラッキング
サーボが行われる。
【００７７】
次に、制御部２は、レーザ駆動部２１に記録情報や再生要求等の信号を与え、レーザ駆
動部２１は与えられた信号に応じて、スイッチＳＷ２を介してレーザダイオードＬＤ２に
駆動電流を供給し、レーザダイオードＬＤ２からレーザ光Ｌ２を出射させる（ステップＳ
１７）。これにより、ＤＶＤである光ディスク４への情報の記録、またはＤＶＤである光
ディスク４に記録されている情報の再生が行われる。
【００７８】
このとき、制御部２は、光ディスク４が取り外されたり、光ディスク記録再生装置の動
作停止要求があったりした場合は（ステップＳ１８）、光ディスク記録再生装置の動作を
停止させる（終了）。
【００７９】
光ディスク４が取り外されることなく、光ディスク記録再生装置の動作停止要求もない
場合は（ステップＳ１８）、温度検出部２２は、ＳＷ３を介してレーザダイオードＬＤ１
に所定の定電流を流し、そのときのレーザダイオードＬＤ１の順方向電圧Ｖｆ１を測定し
、測定した順方向電圧Ｖｆ１からレーザダイオードＬＤ１の温度Ｔ１を算出して制御部２
に与える（ステップＳ１９）。
【００８０】
そして、制御部２は与えられた温度Ｔ１とステップＳ１５の時点で記憶した基準温度Ｔ
ref１との差分｜Ｔ１−Ｔref１｜（絶対値）を計算し、差分｜Ｔ１−Ｔref１｜と予め定
められている変化許容幅ΔＴ１とを比較する（ステップＳ２０）。尚、この変化許容幅Δ
Ｔ１とは、レーザダイオードＬＤ１の温度がこれ以上変化（上昇／下降）すれば、光ピッ
クアップ１の構成要素の温度ドリフトにより再度、上述したオフセット調整が必要となる
温度の変化分を意味している。
【００８１】
差分｜Ｔ１−Ｔref１｜が変化許容幅ΔＴ１よりも大きい場合は、ステップＳ１５に戻
り、このときの温度Ｔ１が新たに基準温度Ｔref１として記憶され、再度、オフセット調
整が行われる（ステップＳ１６）。
【００８２】
このとき、オフセット調整が行われる間は、レーザダイオードＬＤ２の発光が停止する
ので、光ディスク４に記録されている情報の読み取りができなくなるが、通常、光ディス
ク記録再生装置は、いわゆる音（映像）飛び防止のために、十数秒間の再生を行えるだけ
の情報を予め読み出して記憶しているので、オフセット調整を行う短時間、レーザダイオ
ードＬＤ２の発光が停止しても問題はない。
【００８３】
一方、差分｜Ｔ１−Ｔref１｜が変化許容幅ΔＴ１よりも小さい場合は、次に、制御部
２は、与えられた温度Ｔ１と予め定められているレーザダイオードＬＤ１の許容上限温度
Ｔup１とを比較する（ステップＳ２１）。
【００８４】
温度Ｔ１が許容上限温度Ｔup１よりも小さい場合は、ステップＳ１７に戻り、記録、再
生動作が継続されることになる。一方、温度Ｔ１が許容上限温度Ｔup１よりも大きい場合
は、レーザダイオードＬＤ２の発光を停止して記録、再生動作を停止する（ステップＳ２
２）。そして、所定時間経過後、或いは温度Ｔ１を測定し続け、温度Ｔ１が許容上限温度
Ｔup１よりも小さくなれば、ステップＳ１７に戻り、記録、再生動作を再開する。
【００８５】
以上説明したように、本実施形態によれば、レーザダイオードＬＤ１、ＬＤ２から波長
の異なるレーザ光Ｌ１、Ｌ２を出射することができるので、ＣＤとＤＶＤの両方に情報を
記録したり、記録されている情報を再生したりすることができる。
【００８６】
また、レーザダイオードＬＤ１、ＬＤ２の温度を検出することが、新たな温度検出用セ
ンサをレーザダイオードＬＤ１、ＬＤ２の近い位置に別途設けることなくできるので、光
ピックアップ１や光ディスク記録再生装置の部品点数が増加したり、大型化したり、コス
トが上昇したりすることがない。
【００８７】
また、検出したレーザダイオードＬＤ１またはレーザダイオードＬＤ２の温度は、発光
しない方のレーザダイオードの温度であるが、発光しない方のレーザダイオードは発光す
るレーザダイオードと十分に熱結合しているので、その検出した温度を発光するレーザダ
イオードの温度とすることができる。即ち、新たな温度検出用センサをレーザダイオード
の近い位置に別途設けることなく、発光しているレーザダイオードの温度を検出すること
ができる。
【００８８】
これにより、温度変化に対する対処として、温度検出部２２により検出されたレーザダ
イオードＬＤ１またはレーザダイオードＬＤ２の温度、即ち、レーザダイオードＬＤ１ま
たはレーザダイオードＬＤ２のいずれか発光している方のレーザダイオードの温度が所定
の温度を超えたときには、このレーザダイオードの発光を停止させて、このレーザダイオ
ードの温度上昇による劣化、破壊等を防止することができる。
【００８９】
また、温度検出部２２により検出されたレーザダイオードＬＤ１またはレーザダイオー
ドＬＤ２の温度は、光ピックアップ１の温度に関係する温度と考えることができる。従っ
て、温度変化に対する対処として、温度検出部２２により検出されたレーザダイオードＬ
Ｄ１またはレーザダイオードＬＤ２の温度が、光ピックアップ１の構成要素の温度ドリフ
トにより、フォーカスサーボ、トラッキングサーボのためのオフセット調整が必要となる
レベルに変化したときには、再度、オフセット調整を行うようにしているので、光ピック
アップ１に温度変化が生じた場合であっても、フォーカスサーボ、トラッキングサーボを
精度良く行うことができる。
【００９０】
また、温度変化に対する対処として、温度検出部２２により検出されたレーザダイオー
ドＬＤ１またはレーザダイオードＬＤ２の温度が所定の温度を超えたときは、レーザダイ
オードＬＤ１またはレーザダイオードＬＤ２の発光制御のみならず、レーザダイオードＬ
Ｄ１またはレーザダイオードＬＤ２を冷却するようにしてレーザダイオードＬＤ１または
レーザダイオードＬＤ２の劣化、破壊を防止するようにしても良い。
【００９１】
また、本実施形態の光ディスク記録再生装置は２個のレーザダイオードを搭載したもの
であるが、搭載するレーザダイオードは２個に限らず、３個以上搭載することも可能であ
る。その場合には更に多くの種類の光ディスクに情報を記録したり、記録されている情報
を再生したりすることができる。
【００９２】
尚、本発明は上述の実施形態に限定されるものではなく、本発明の趣旨を逸脱しない範
囲において各部の構成等を適宜に変更して実施することも可能である。
【図面の簡単な説明】
【００９３】
【図１】本発明の一実施形態に係る光ディスク記録再生装置の構成を概略的に示す概略構成図である。
【図２】図１に示す受光部のフォトディテクタの構成を示す図である。
【図３】図１に示すＬＤチップとレーザ制御部の構成を示すブロック図である。
【図４】ダイオードの順方向電圧と温度との関係を示す図である。
【図５】図１に示す光ディスク記録再生装置の動作を示すフローチャートである。
【符号の説明】
【００９４】
１    光ピックアップ
２    制御部
３    光源ユニット
４    光ディスク
５    光学系
６    受光部
６ａ    メインフォトディテクタ
７    レーザダイオードチップ（ＬＤチップ）
８    回析格子
９    偏光ビームスプリッタ
１０    コリメータレンズ
１１    １／４波長板
１２    対物レンズ
１３    シリンドリカルレンズ
１４    フォーカスアクチュエータ（アクチュエータ）
１５    トラッキングアクチュエータ（アクチュエータ）
２０    レーザ制御部
２１    レーザ駆動部
２２    温度検出部
Ｌ１、Ｌ２    レーザ光
ＬＤ１、ＬＤ２    レーザダイオード
ＳＷ１、ＳＷ２    スイッチ（第１の切換部）
ＳＷ３、ＳＷ４    スイッチ（第２の切換部）
【図１】
2005346807.tif 000003
【図２】
2005346807.tif 000004
【図３】
2005346807.tif 000005
【図４】
2005346807.tif 000006
【図５】
2005346807.tif 000007